(57)【要約】【課題】  ランプ交換時に作業者が容易にかつ安全にリセット操作を行える照明器具を提供する。【解決手段】  一対のランプソケットは、長手方向に沿って摺動可能なプランジャを有する可動ソケット５ｂとプランジャのない固定ソケット５ａからなり、リセットスイッチ１４をランプ４の長手方向中心よりも固定ソケット５ａ側に配置している。リセットスイッチ１４は計時中の点灯時間タイマをリセットし、照度補正手段は点灯時間タイマの計測時に応じて安定器９の出力を制御する。【選択図】        図１
2006210248.tif 000002
【特許請求の範囲】
【請求項１】
器具本体と、この器具本体に配設され相対向する一対のランプソケットと、前記器具本体に取り付けられて前記ランプソケットに装着されたランプに電力を供給する放電灯点灯装置と、前記ランプの点灯時間を計時する点灯時間タイマを有し前記点灯時間タイマにより計時された前記点灯時間の経過に伴う光束低下を抑制するように、前記放電灯点灯装置が前記ランプに供給する電力を前記点灯時間に応じて前記放電灯点灯装置に指示する照度補正手段と、計時中の前記点灯時間タイマをリセットするリセット手段を備えた照明器具において、
前記一対のランプソケットは、その相対向方向に摺動可能であって前記ランプの一方のランプ口金を装着する可動部を有する可動ソケットと、前記可動部がなくて前記ランプの他方のランプ口金を装着する固定ソケットとからなり、前記リセット手段を前記ランプの長手方向中心よりも前記固定ソケット側に配置したことを特徴とする照明器具。
【請求項２】
前記照度補正手段が前記放電灯点灯装置の内部に一体化されている場合、前記放電灯点灯装置を前記ランプの長手方向中心よりも前記固定ソケット側に配置し、前記照度補正手段と前記放電灯点灯装置とが分離して前記器具本体に配設されている場合、少なくとも照度補正装置は前記ランプの長手方向中心よりも前記固定ソケット側に配置した請求項１記載の照明器具。
【請求項３】
前記放電灯点灯装置が前記ランプの高圧側フィラメントの断線を検出する保護手段を具備し、前記可動ソケットが前記ランプの低圧側となり、前記固定ソケットが前記ランプの高圧側となるように構成し、前記放電灯点灯装置は前記固定ソケット側に配置した請求項１記載の照明器具。
【請求項４】
前記放電灯点灯装置が前記ランプの低圧側フィラメントの断線を検出する保護手段を具備し、前記可動ソケットが前記ランプの高圧側となり、前記固定ソケットが前記ランプの低圧側となるように構成し、かつ前記放電灯点灯装置は前記可動ソケット側に配置した請求項１記載の照明器具。
【請求項５】
前記放電灯点灯装置が前記ランプの両端のフィラメントの断線を共に検出する保護手段を具備し、前記可動ソケットが前記ランプの低圧側となり、前記固定ソケットが前記ランプの高圧側となるように配置し、かつ前記放電灯点灯装置は前記固定ソケット側に配置した請求項１記載の照明器具。
【請求項６】
請求項１から請求項５までのいずれか一項記載の複数台の照明器具と、前記複数台の照明器具を制御する制御装置とを備えた照明システム。
【発明の詳細な説明】
【技術分野】
【０００１】
この発明は、ランプの累積点灯時間により調光制御を行う放電灯点灯装置を内蔵し、ランプ交換時に累積点灯時間をリセットするリセットスイッチを器具本体の反射板等に設けた照明器具および照明システムに関するものである。
【背景技術】
【０００２】
一般に照明用として用いられている放電灯（以下「ランプ」という）の光束は使用開始直後は定格よりも高く、その後徐々に低下していくことが知られている（図６（ａ））。つまり、ランプの使用時間の経過と共に照度が低下する。このランプの使用時間の経過に伴う照度低下を抑制する技術として、初期照度補正がある。これはランプの点灯初期における余分な照度を抑え、点灯時間の経過に伴って徐々に出力を上げていくことにより（図６（ｂ））、常に略同一の照度（図６（ｃ））である照明器具を提供するというものである。
【０００３】
しかも、点灯初期においてはランプの余分な照度を抑えるため、省エネルギーを図ることもできる。つまり初期照度補正機能を備えた放電灯点灯装置では、ランプの点灯時間を計時し、計時した点灯時間に応じて出力を変化させることになる。
【０００４】
しかしながら、接続されているランプが「寿命」あるいは［破壊」等で新しい物に交換する必要が出てきた場合には、これまでカウントしてきた累積点灯時間をリセットする必要がある。
【０００５】
第１の従来例（例えば特許文献１参照）は、累積点灯時間をリセットする手段として、図７に示すようにあらかじめ器具本体５０の反射板５３にボタン式のリセットスイッチ５１を設け、リセットスイッチ５１を所定時間以上押し続けることにより累積点灯時間のリセットを行う。これによって、ランプソケット５６、５７に装着されたランプ５２を使用者の都合で交換した場合でも、リセットスイッチ５１を押すことにより累積点灯時間のリセットを任意に行うことができる。
【０００６】
第２の従来例（例えば特許文献２参照）は、リセット手段として、リセットスイッチ５１が図８に示すように器具本体内に固定されており、照明器具の反射板５３にはリセットスイッチ５１を操作する細長い棒状の工具５４が挿入できる小穴５５が設けられている。ここで、「ランプ交換」等でランプの点灯時間をリセットすることが必要になった場合、小穴５５に棒状の工具５４を挿入してリセットスイッチ５１を押すことにより累積点灯時間のリセットが行われる。
【特許文献１】特開2001−15276
【特許文献２】特開2004−127867
【発明の開示】
【発明が解決しようとする課題】
【０００７】
図９に示すように、例えばFLRllOWやFHF86といった非常に長いランプ５２を接続する照明器具においては、プランジャのない固定ソケット５８とプランジャのある可動ソケット５９とからなる一対のソケットを備えている。
【０００８】
これらの、固定ソケット５８と可動ソケット５９とが器具本体５０に配設された照明器具において、ランプ５２を器具本体５０から外そうとした場合、ランプ５２は図（ｂ）に示すように必ず固定ソケット５８側から先に外れることとなる。逆にランプ５２を器具本体５０に取り付ける場合にはやはり図（ｂ）に示すように必ず可動ソケット５９側から接続することになる。上記の理由から、特にFHF86WやFLRllOWといった非常に長いランプ５２を照明器具から抜き差ししてランプ交換を行う場合、作業者はランプ５２を対称軸線すなわち長手方向中心よりも固定ソケット５８側を持って交換した方が確実かつ容易にランプ５２の抜き差しを行うことができる。このため、ランプ５２を交換する場合に作業者はどうしてもランプ５２の対称軸線よりも固定ソケット５８側に脚立を置いて交換作業を行うこととなる（図１０）。
【０００９】
しかし、第１の従来例においては、リセットスイッチ５１の具体的な位置は指示されておらず照明器具上に配置されていれば、どこでも構わない構成となっている。このため仮にリセットスイッチ５１がランプ５２の対称軸線よりも可動ソケット５９側に配置されていたとするならば、作業者６１は一旦脚立６０を固定ソケット５８側に置いてランプ交換をした後、再び脚立６０を可動ソケット５９側に移動させてリセットスイッチ５１を押さなくてはならず、非常にランプ交換の作業効率が悪くなってしまう。
【００１０】
また、脚立６０を固定ソケット５８側に置いたままの状態でリセットスイッチ５１を押そうとすると、高所で無理な体勢で手を伸ばさなくてはならず作業者６１にとっては非常に危険な作業となる（図１１）。
【００１１】
第２の従来例の場合には、リセット操作を行う度にわざわざ小穴５５を通る細い工具５４を準備する必要があり、作業者６１がランプ交換作業を行う際には必ず細い棒状の工具５４を携帯する煩わしさがある。しかも、高所において細い穴の中に棒を挿入するという非常に大変な作業になる上、万一、工具５４を手から滑らせてしまった場合に細い棒状の工具５４が作業者６１の顔や体に当たる可能性もあり、第１の従来例と同様に作業者６１にとっては非常に危険な作業となってしまう（図１２）。
【００１２】
この発明は、上記問題に鑑みてなされたものであり、その目的とするところは、器具本体に初期照度補正機能を備えた放電灯点灯装置が取り付けられ、その両端部に対向して配設されている一対のランプソケットが、固定ソケットと可動ソケットからなる照明器具において、ランプ交換時に作業者が容易にかつ安全にリセット操作を行える照明器具および照明システムを提供することである。
【課題を解決するための手段】
【００１３】
この発明の照明器具は、一対のランプソケットが器具本体に配設され相対向する。放電灯点灯装置は前記器具本体に取り付けられて前記ランプソケットに装着されたランプに電力を供給する。照度補正手段は前記ランプの点灯時間を計時する点灯時間タイマを有し前記点灯時間タイマにより計時された前記点灯時間の経過に伴う光束低下を抑制するように、前記放電灯点灯装置が前記ランプに供給する電力を前記点灯時間に応じて前記放電灯点灯装置に指示する。リセット手段は計時中の前記点灯時間タイマをリセットする。そして前記一対のランプソケットは、その相対向方向に摺動可能であって前記ランプの一方のランプ口金を装着する可動部を有する可動ソケットと、前記可動部がなくて前記ランプの他方のランプ口金を装着する固定ソケットとからなり、前記リセット手段を前記ランプの長手方向中心よりも前記固定ソケット側に配置している。
【００１４】
上記構成において、前記照度補正手段が前記放電灯点灯装置の内部に一体化されている場合、前記放電灯点灯装置を前記ランプの長手方向中心よりも前記固定ソケット側に配置し、前記照度補正手段と前記放電灯点灯装置とが分離して前記器具本体に配設されている場合、少なくとも照度補正装置は前記ランプの長手方向中心よりも固定ソケット側に配置している。
【００１５】
上記構成において、前記放電灯点灯装置が前記ランプの高圧側フィラメントの断線を検出する保護手段を具備し、前記可動ソケットが前記ランプの低圧側となり、前記固定ソケットが前記ランプの高圧側となるように構成し、前記放電灯点灯装置は前記固定ソケット側に配置している。
【００１６】
上記構成において、前記放電灯点灯装置が前記ランプの低圧側フィラメントの断線を検出する保護手段を具備し、前記可動ソケットが前記ランプの高圧側となり、前記固定ソケットが前記ランプの低圧側となるように構成し、かつ前記放電灯点灯装置は前記可動ソケット側に配置している。
【００１７】
上記構成において、前記放電灯点灯装置が前記ランプの両端のフィラメントの断線を共に検出する保護手段を具備し、前記可動ソケットが前記ランプの低圧側となり、前記固定ソケットが前記ランプの高圧側となるように配置し、かつ前記放電灯点灯装置は前記固定ソケット側に配置している。
【００１８】
この発明の照明システムは、上記構成の複数台の照明器具と、前記複数台の照明器具を制御する制御装置とを備えている。
【発明の効果】
【００１９】
この発明の照明器具によれば、前記リセット手段を前記ランプの長手方向中心よりも前記固定ソケット側に配置したため、ランプ交換時に作業者が容易に且つ安全にリセット操作を行うことができる。
【００２０】
照度補正手段が前記放電灯点灯装置の内部に一体化され、前記放電灯点灯装置を前記ランプの長手方向中心よりも前記固定ソケット側に配置すると、リセット手段と放電灯点灯装置に具備されているリセット信号入力部との配線距離が短くなり、ノイズによる誤動作を低減することができる。
【００２１】
前記照度補正手段と前記放電灯点灯装置とが分離して前記器具本体に配設され、少なくとも照度補正装置が前記ランプの長手方向中心よりも前記固定ソケット側に配置されていると、リセット手段と照度補正手段との距離が短くなり、リセット信号線の配線距離が短くなり、ノイズによる誤動作を低減することができる。
【００２２】
保護回路がランプの高圧側フィラメントの変化を検出し、ランプの高圧側を固定ソケット、低圧側を可動ソケットとし、リセット手段および放電灯点灯装置を固定ソケット側に配置すると、ランプは固定ソケット側が先に外れるため、ランプが外れると同時に即保護回路を働かせることができる。また、一般的に照明器具のランプ配線は高圧側を短くした方が漏洩電流、電撃等に有利になる。
【００２３】
保護回路がランプの低圧側フィラメントを検出し、ランプの高圧側を可動ソケット、低圧側を固定ソケットとし、リセット手段はランプの低圧側に可動ソケット側に放電灯点灯装置を配置すると、ランプは固定ソケット側が先に外れるため、ランプが外れると同時に即保護回路を働かせることができる。また、一般的に照明器具のランプ配線は高圧側を短くした方が漏洩電流、電撃等に有利になる。
【００２４】
保護回路がランプの両端のフィラメントの断線をともに検出し、ランプの高圧側を固定ソケットとし、低圧側を可動ソケットとし、放電灯点灯装置は固定ソケット側に配置すると、高圧側ランプ線長を短くすることができる。また、両方のフィラメント異常を検出することができるため、高圧側を可動ソケット、低圧側を固定ソケットとすることもできるが、放電灯点灯装置と照度補正装置が組み合わされている場合、高圧側を固定ソケット、低圧側を可動ソケットとした方がリセット手段と照度補正装置との配線長を短くすることができるため、ノイズ等によるリセット誤動作をより低減することができる。
【発明を実施するための最良の形態】
【００２５】
図１はこの発明の第１の実施の形態を示す照明器具の分解斜視図である。１は照明器具全体であり、主に器具本体２、反射板３、ランプ４によって構成されている。器具本体２には一端部にプランジャのない固定ソケット５ａが配設され、他端部に固定ソケット５ａに対して相対向方向に摺動可能であって、ランプ４のランプ口金を装着するプランジャを可動部として有する可動ソケット５ｂが配設されている。また、器具本体２には反射板３を器具本体２に取付ける固着手段としてねじ孔のある反射板取付金具７が固定されており、化粧ねじであるつまみねじ６を反射板２に開けられている孔８を通して反射板取付金具７のねじ孔にねじ込むことにより反射板３が器具本体２に固着される。さらに、器具本体２にはランプ４を数10〜数100kHzの範囲内で高周波点灯させるための放電灯点灯装置である安定器９と、接続手段である電源端子台１０とが取付けられており、電源端子台１０は天井裏を通っている（例えばVVF）電源線２１が電源穴１５を通して接続されている。安定器９は電源端子台１０およびランプソケット５と図示しない電源線によって電気的に接続されている。また、器具本体２にはあらかじめボルト取付孔１１が開けられており、天井の吊ボルト２０にボルト取付孔１１を通して、器具本体２の下部より座金１２を吊ボルト２０に通しナット１３で締め付けることにより器具本体２が天井に取付けられている。
【００２６】
安定器９は調光可能であり照度補正機能を有する。すなわち、照度補正機能は、ランプ４に電力が供給されている時間を計時する点灯時間タイマと、この点灯時間タイマにより計時した時間に応じてあらかじめ設定された所定の出力電力を安定器９がランプ４に供給するように調光信号を安定器９に出力する照度補正手段とで構成されている。
【００２７】
したがって、「ランプが古くなる」あるいは「ランプが割れた」等で新しいランプ４に交換した時に、これまで累積してきた点灯時間タイマの点灯時間をリセットする必要が出てくる。このリセット手段として器具本体２には安定器９のリセット信号入力部と電気的に接続されているリセットスイッチ１４が取付けられ、反射板３に形成した孔３ａより突出している。ランプ交換時には、このリセットスイッチ１４を所定時間長押しすることにより点灯時間タイマがリセットされる。このリセットスイッチ１４は器具中心すなわちランプ４の長手方向中心よりも固定ソケット５ａ側に配置されている。
【００２８】
上記したように、固定ソケット５ａと可動ソケット５ｂが配設されているような照明器具においては、ランプ脱時は、必ず固定ソケット５ａ側から先に外れ、ランプ装着時は固定ソケット５ａ側が後から装着される。特にFHF86やFLRllOのように極めて長いランプ４を適合負荷とする照明器具においてランプ４を交換する場合、一般的に作業者はランプ４の固定ソケット５ａ側を持って交換作業を行った方が容易である。しかも、高所での作業となるため交換作業には脚立が必要となるが、上記の理由によって脚立を固定ソケット５ａ側に置いて作業をするため、リセットスイッチ１４は器具中心よりも固定ソケット５ａ側に配置した方が、ランプ交換作業とリセット作業とを同時に行うことができ、より効率的に作業ができることとなる。逆にリセットスイッチ１４が可動ソケット５ｂ側にあったとすると、ランプ交換とリセット作業の度に脚立を移動させなくてはならず、非常に作業効率が悪くなってしまう。例えば、第１の実施の形態の安定器９においては、所定時間以上リセットスイッチ１４を押すことにより点灯時間がリセットされる構成とし、リセット後は一定時間出力を変化させてリセットが行われたかどうかを確認できるようにしているが、このような場合でもリセットスイッチ１４が固定ソケット５ａ側に配置されていれば、容易にリセットスイッチ１４を押すことができるので、仮に所定時間以上リセットスイッチ１４を押していなくても、すぐに押しなおすことも可能である。
【００２９】
図２はこの発明の第２の実施の形態を示し、第１の実施の形態と同様にリセットスイッチ１４は固定ソケット５ａ側に配置している。基本的な照明器具の構造については第１の実施の形態と同様であるため詳細な説明については省略する。
【００３０】
第２の実施の形態は、器具本体２に取付けられている安定器９の配置に関するものである。一般的に現在商品化されている大多数の安定器９にはランプが外れるか、フィラメントが断線した場合に安定器９の発振を停止し安定器９内部の電子部品を保護するため、保護回路が具備されている。この保護回路がランプの高圧側フィラメント断線のみ検出する回路であった場合、ランプの高圧側が外れた場合にしか保護回路が動作しないため、図２に示すように固定ソケット５ａを高圧側ランプ線に接続している。
【００３１】
つまり、図２に示す照明器具においてはランプは必ず固定ソケット５ａ側から外れるため、ランプ外れ時には即保護回路が動作することとなる。また通常、照明器具１は漏洩電流や電撃を低減させるために高圧側のランプ線が短くなるように配線するので、このためにも安定器９は図２に示すように固定ソケット５ａ側に配置した方がよい。
【００３２】
なお、保護回路がランプの両方のフィラメント断線を検出する回路であった場合、「ランプを外すのは必ず高圧側から行うこと」という制約は無くなるが、図２のように固定ソケット５ａ側に安定器９を配置した方が、高圧側ランプ線長を短くすることができ、リセットスイッチ１４と安定器９との配線長が短くなるため、ノイズ等によるリセット誤動作を低減させることができ、より適した配置となる。さらに、一般的に照明器具の電源穴１５は器具本体２の略中心部に設けることが多いため、天井裏より配線されるVVFのような電源線を照明器具と接続するための電源端子台１０も器具本体2の略中心部で電源穴１５よりも固定ソケット５ａ側に取付けることが多い。このため、図２に示すように安定器９の電源入力側をなるべく電源端子台１０に近い位置に配置し、かつ安定器９のランプ出力側を固定ソケット５ａ側にする方が電源線の長さを短くすることができるため雑音に効果的である上、高圧側の配線長も短くできるため、高圧側ランプ線からの漏洩電流にも効果的である。
【００３３】
図３はこの発明の第３の実施の形態を示し、第１の実施の形態と同様に、リセットスイッチ１４は固定ソケット５ａ側に配置し、基本的な照明器具の構造については第１の実施の形態と同様であるため、詳細な説明については省略する。      
【００３４】
第３の実施の形態では、保護回路の検出を「低圧側フィラメント断線のみ」にした場合について説明するものである。この場合、第２の実施の形態とは逆に先にランプの低圧側から外す必要が出てくる。このため、固定ソケット５ａを低圧側ランプ線に接続する。また図３に示すように高圧側配線からの漏洩電流の増加を低減させるためには高圧側ランプ線長を短くする必要があるため、安定器９を高圧側つまり可動ソケット５ｂ側に配置する。
【００３５】
また、図３に示すように安定器９は電源端子台１０に近い側を電源入力側とし、可動ソケット５ｂ側をランプ出力側としている。すなわち、第２の実施の形態で述べたように照明器具は器具本体２の略中心部に電源穴１５が配設されていることが一般的であるため、電源穴１５の近傍に電源端子台１０を配置することが多い。そのため、FHF86やFLRllOのような非常に長い照明器具の場合、安定器９をなるべく電源端子台１０に近い位置に配置した方が電源端子台１０と安定器９とを接続する電源線の長さを短くすることができ、雑音端子電圧に効果的である。このため、図３に示すように安定器９は電源端子台１０に近い側を電源入力側とし、可動ソケット５ｂ側をランプ出力側とすれば、「高圧側ランプ線を短くする」と「電源端子台１０と接続する電源線を短くする」という二つの事項を実現できるため非常に効果的である。
【００３６】
図４はこの発明の第４の実施の形態を示し、第４の実施の形態においても第１の実施の形態と同様にリセットスイッチ１４は固定ソケット５ａ側に配置しており、基本的な照明器具の構造については第１の実施の形態と同様であるため、詳細な説明については省略する。
【００３７】
第４の実施の形態では、ランプに電力を供給する安定器９と、ランプの点灯時間の経過に伴う光束低下を抑制するように点灯時間タイマを有しこの点灯時間タイマにより計時された点灯時間に応じてランプへの供給電力を安定器９に指示する照度補正手段１６（以降制御ブロックと呼ぶ）とが分離配置されている。安定器９は調光用安定器であり、制御ブロック１６からの調光信号を受けて調光信号に応じた電力をランプ４に供給している。制御ブロック１６はランプ４に電力を供給している時間を点灯時間タイマにより計時（カウント）し、計時した時間に応じてあらかじめ制御ブロック１６内に保持しているデータテーブルに設定された電力を安定器９が出力するための調光信号を出力している。ランプ４が交換された場合、それまで計時してきた累積点灯時間をリセットするため、制御ブロック１６と電気的に接続されているリセットスイッチ１４を所定時間以上押すことにより、制御ブロック１６の内部でリセットされる。
【００３８】
図４に示すように安定器９の電源入力部と制御ブロック６の電源入力部とを電源端子台１０を中心に略対称となるように配置にする。すなわち、第４の実施の形態においても、第２の実施の形態および第３の実施の形態と同様に器具の電源穴１５は略中心部に設けられ、電源端子台１０も電源穴１５の近傍の略中心部に配置されることが多い。この時、天井裏より供給される電源は安定器９と制御ブロック１６の両方に供給するため、電源端子台１０からの電源線の配線長は第２の実施の形態や第３の実施の形態と比べると長くなってしまい、雑音に影響が出てくる恐れがある。そのため、図４に示すように安定器９の電源入力部と制御ブロック６の電源入力部とを電源端子台１０を中心に略対称となるように配置にすれば、電源線の配線長を短くすることができ雑音低減に有効である。しかも、制御ブロック１６を固定ソケット５ａ側に、安定器９を可動ソケット５ｂ側に配置すれば、あらかじめ固定ソケット５ａ側に設けられているリセットスイッチ１４と電気的に制御ブロック１６に接続されている配線の長さを短くすることができ、このためノイズによるリセット誤動作を低減させることができ、さらに効果的な配置となる。
【００３９】
図５はこの発明の第５の実施の形態を示す。第５の実施の形態においても第１の実施の形態と同様にリセットスイッチ１４は固定ソケット５ａ側に配置し、基本的な照明器具の構造については第１の実施の形態と同様であるため、詳細な説明については省略する。
【００４０】
図５に示す照明器具はFHF86用富士型照明器具である。FHF86Wランプのように非常にランプ長が長く、かつランプ４の管径が細いランプを負荷とする照明器具においては、照明器具の両端間に配設されている固定ソケット５ａおよび可動ソケット５ｂのみでランプ４を支持したのでは、ランプ４の中心部が反ってしまいランプ４が割れてしまう危険性がある。このため、図５に示すように支持部材として例えばランプ支持ばね１７を器具本体２の略中心に配設し、照明器具の両端の固定ソケット５ａと可動ソケット５ｂとランプ支持ばね１７によってランプ４を支持する。ランプ４を照明器具に取付ける場合、初めに可動ソケット５ｂにランプ４を挿入した後、ランプ支持ばね１７にランプ４を支持させ、つぎに固定ソケット５ａに挿入する。このため、更に固定ソケット５ａ側を持って交換作業を行うことなる。特にランプ支持ばね１７にランプ４を挿入する作業にあたっては、ランプ支持ばね１７にランプ４が確実にはまっていることを確認した上で固定ソケット５ａへの挿入作業に移るようにする。ランプ４に余計な応力が発生してランプ４が割れる危険が生じるのを避けるためである。このため、作業者はランプ支持ばね１７と固定ソケット５ａの間に脚立を置き、交換作業を行うこととなる。よって、図５に示すようにリセットスイッチ１４をランプ支持ばね１７と固定ソケット５ａ間に配置すれば、一回の交換作業で「ランプ支持ばね１７への装着」、「固定ソケット５ａへの装着」、「ランプリセット操作」、「リセット確認」の全てを行うことができるため効率的に作業を行うことができる。
【００４１】
この発明の第６の実施の形態として、上記第１の実施の形態から第５の実施の形態のいずれかからなる複数台の照明器具と、この複数台の照明器具を制御する制御装置とで照明システムを構成してもよい。
【図面の簡単な説明】
【００４２】
【図１】この発明の第１の実施の形態の分解斜視図である。
【図２】第２の実施の形態の器具本体の斜視図である。
【図３】第３の実施の形態の器具本体の斜視図である。
【図４】第４の実施の形態の器具本体の斜視図である。
【図５】第５の実施の形態の斜視図である。
【図６】（ａ）はランプの点灯時間に対する光束の特性図、（ｂ）は点灯時間に対する安定器出力の曲線図、（ｃ）は点灯時間に対する光出力の特性図である。
【図７】第１の従来例の斜視図である。
【図８】（ａ）は第２の従来例の斜視図、（ｂ）はリセットスイッチのある位置の断面図、（ｃ）は工具でリセットスイッチを操作している状態の断面図である。
【図９】固定ソケットおよび可動ソケットを用いた場合のランプ着脱を説明する側面図である。
【図１０】従来例のランプの着脱作業を説明する説明図である。
【図１１】第１の従来例の作業者によるリセット操作を説明する説明図である。
【図１２】第２の従来例の作業者によるリセット操作を説明する説明図である。
【符号の説明】
【００４３】
１    照明器具    
２    器具本体
３    反射板
４    ランプ
５ａ  固定ソケット  
５ｂ  可動ソケット  
９    安定器
１４    リセットスイッチ
【図１】
2006210248.tif 000003
【図２】
2006210248.tif 000004
【図３】
2006210248.tif 000005
【図４】
2006210248.tif 000006
【図５】
2006210248.tif 000007
【図６】
2006210248.tif 000008
【図７】
2006210248.tif 000009
【図８】
2006210248.tif 000010
【図９】
2006210248.tif 000011
【図１０】
2006210248.tif 000012
【図１１】
2006210248.tif 000013
【図１２】
2006210248.tif 000014